【手続補正書】
【提出日】平成20年9月22日(2008.9.22)
【手続補正１】
【補正対象書類名】明細書
【補正対象項目名】特許請求の範囲
【補正方法】変更
【補正の内容】
【特許請求の範囲】
【請求項１】  環境のシグネチャを明らかにする方法であって、
複数のアンテナ・アレイ素子からアップリンク信号を受信するステップと、
受信した前記アップリンク信号からアップリンク空間のシグネチャを推定するステップと、
前記推定したアップリンク空間のシグネチャに基づいて環境のシグネチャを明らかにするステップと、
から構成されることを特徴とする方法。
【請求項２】  前記アップリンク空間のシグネチャを推定するステップは、
受信した前記アップリンク信号のアップリンク空間のシグネチャを推定するステップと、
受信した前記アップリンク信号の相乗的なアップリンク空間のシグネチャを計算するステップと、
を有することを特徴とする請求項１に記載の方法。
【請求項３】  前記推定したアップリンク空間のシグネチャに基づいて環境のシグネチャを明らかにするステップは、
前記推定したアップリンク空間のシグネチャと、前記相乗的なアップリンク空間のシグネチャの間の相関を見つけるステップと、
前記推定したアップリンク空間のシグネチャと、前記相乗的なアップリンク空間のシグネチャの間の相関が低クラッタのしきい値よりも大きい場合には、低クラッタ環境の評価を選択するステップと
を有することを特徴とする請求項２に記載の方法。
【請求項４】  前記相乗的なアップリンク空間のシグネチャを計算するステップは、
前記複数のアンテナ・アレイ素子によって受信した前記アップリンク信号の主到来角を推定するステップと、
推定した前記主到来角を使って、受信した前記アップリンク信号のアップリンク空間のシグネチャを計算するステップと
を有することを特徴とする請求項２に記載の方法。
【請求項５】  前記推定したアップリンク空間のシグネチャと、前記相乗的なアップリンク空間のシグネチャの間の相関を見つけるステップは、前記推定したアップリンク空間のシグネチャと、前記相乗的なアップリンク空間のシグネチャの規格化された点乗積を計算するステップを有することを特徴とする請求項２に記載の方法。
【請求項６】  前記受信したアップリンク信号のアップリンク空間のシグネチャを推定するステップは、前記複数のアンテナ・アレイ素子によって受信したアップリンク信号と基準信号の間の相関ベクトルを計算するステップを有することを特徴とする請求項２に記載の方法。
【請求項７】  環境のシグネチャを明らかにする方法であって、
複数のアンテナ・アレイ素子からアップリンク信号を受信するステップと、
前記複数のアンテナ・アレイ素子によって受信した前記アップリンク信号のペア相関を計算するステップと、
前記複数のアンテナ・アレイ素子によって受信した前記アップリンク信号の前記ペア相関の絶対値の平均値を計算するステップと、
前記複数のアンテナ・アレイ素子によって受信した前記アップリンク信号の前記ペア相関の絶対値の平均値が高クラッタのしきい値よりも小さい場合には、前記高クラッタ環境の評価を選択するステップと、
から構成されることを特徴とする方法。
【請求項８】  前記複数のアンテナ・アレイ素子によって受信した前記アップリンク信号の前記ペア相関を計算するステップは、前記複数のアンテナ・アレイ素子によって受信した前記アップリンク信号の前記ペア相関の規格化された点乗積を計算するステップを有することを特徴とする請求項７に記載の方法。
【請求項９】  環境のシグネチャを明らかにする方法であって、
複数のアンテナ・アレイ素子からアップリンク信号を受信するステップと、
前記複数のアンテナ・アレイ素子によって受信した前記アップリンク信号から相関行列を計算するステップと、
前記相関行列からソース・オーダを推定するステップと、
推定した前記ソース・オーダが高混信のしきい値よりも大きい場合には、高混信環境の評価を選択するステップと、
から構成されることを特徴とする方法。
【請求項１０】  前記相関行列に応答してソース・オーダを推定するステップは、
前記相関行列の固有値を計算するステップと、
前記固有値に対し順次仮説技術を実行して前記ソース・オーダを推定するステップと
を有することを特徴とする請求項９に記載の方法。
【請求項１１】  前記相関行列に応答してソース・オーダを推定するステップは、
前記相関行列の固有値を計算するステップと、
前記固有値に対し赤池の情報量基準技術を実行して前記ソース・オーダを推定するステップと
を有することを特徴とする請求項９に記載の方法。
【請求項１２】  前記相関行列に応答してソース・オーダを推定するステップは、
前記相関行列の固有値を計算するステップと、
前記固有値に対し最小記述長技術を実行してソース・オーダを推定するステップと
を有することを特徴とする請求項９に記載の方法。
【請求項１３】  環境のシグネチャを明らかにする方法であって、
複数のアンテナ・アレイ素子からアップリンク信号を受信するステップと、
前記複数のアンテナ・アレイ素子から受信した前記アップリンク信号に応答して、信号対雑音比を計算するステップと、
前記複数のアンテナ・アレイ素子から受信した前記アップリンク信号に応答して、ビット誤り率（ＢＥＲ）を測定するステップと、
前記信号対雑音比に応答して期待ＢＥＲを決定するステップと、
前記測定したＢＥＲが、ＢＥＲしきい値の量だけ期待ＢＥＲよりも大きい場合には、高混信環境の評価を選択するステップと、
から構成されることを特徴とする方法。
【請求項１４】  前記複数のアンテナ・アレイ素子から受信した前記アップリンク信号に応答して信号対雑音比を計算するステップは、
前記複数のアンテナ・アレイ素子から受信した前記アップリンク信号に応答して、受信信号強度表示（ＲＳＳＩ）を測定するステップと、
前記複数のアンテナ・アレイ素子から受信した前記アップリンク信号に含まれる雑音を測定するステップと
を有することを特徴とする請求項１３に記載の方法。
【請求項１５】  前記測定したＢＥＲは、前記ＢＥＲしきい値の量だけ期待ＢＥＲよりも大きく、かつ前記ＲＳＳＩがＲＳＳＩしきい値よりも大きい場合には、高混信環境の評価を選択するステップをさらに有することを特徴とする請求項１４に記載の方法。
【請求項１６】  複数のアンテナ素子と、
前記複数のアンテナ素子から前記アップリンク信号を受信するために結合されている受信機と、
前記複数のアンテナ素子から受信した前記アップリンク信号に応答して環境の評価を選択するために、前記アップリンク信号を受信するように結合されている信号プロセッサと、
から構成されることを特徴とする装置。
【請求項１７】  前記複数のアンテナ素子から前記受信したアップリンク信号を記憶するために、前記受信機および前記信号プロセッサに結合されているメモリをさらに有することを特徴とする請求項１６に記載の装置。
【請求項１８】  前記信号プロセッサは、推定したアップリンク空間のシグネチャと相乗的なアップリンク空間のシグネチャの間の相関が低クラッタ評価のしきい値よりも大きい場合には、前記低クラッタ環境の評価を選択するために結合されていることを特徴とする請求項１６に記載の装置。
【請求項１９】  前記信号プロセッサは、前記複数のアンテナ素子から受信した前記アップリンク信号に応答して信号プロセッサが推定した主到来角に応答して、前記相乗的なアップリンク空間のシグネチャを計算するために結合されていることを特徴とする請求項１８に記載の装置。
【請求項２０】  前記信号プロセッサは、前記複数のアンテナ素子から受信した前記アップリンク信号のペア相関の絶対値の平均値が高クラッタ評価のしきい値よりも小さい場合には、前記高クラッタ環境の評価を選択するために結合されていることを特徴とする請求項１６に記載の装置。
【請求項２１】  前記信号プロセッサは、前記アンテナ素子のペアの規格化された点乗積を計算することによって、前記複数のアンテナ素子から受信したアップリンク信号の前記ペア相関を計算するために結合されていることを特徴とする請求項２０に記載の装置。
【請求項２２】  前記信号プロセッサは、前記複数のアンテナ素子から受信した前記アップリンク信号に応答して推定したソース・オーダが、高混信評価のしきい値よりも高い場合には、高混信環境の評価を選択するために結合されていることを特徴とする請求項１６に記載の装置。
【請求項２３】  前記信号プロセッサは、前記複数のアンテナ素子から受信した前記アップリンク信号中の測定したビット誤り率（ＢＥＲ）が期待ＢＥＲよりも大きく、かつアップリンク信号の受信信号強度表示（ＲＳＳＩ）がＲＳＳＩしきい値よりも大きい場合には、前記高混信環境の評価を選択するために結合されていることを特徴とする請求項１６に記載の装置。
【請求項２４】  前記信号プロセッサは、前記複数のアンテナ素子から受信したアップリンク信号の信号対雑音比に応答して前記期待ＢＥＲを決定するために結合されていることを特徴とする請求項２３に記載の装置。